【事件の表示】
　特願２０１６−　１７４１０「携帯電話」拒絶査定不服審判事件について、次のとおり審決する。
【結　論】
　本件審判の請求は、成り立たない。
【理　由】
１．手続の経緯
　本願は、平成２８年２月１日の出願であって、 同年６月２日付けで拒絶理由が通知され、同年７月６日付けで手続補正がされ、同年９月５日付けで拒絶査定がされ、これに対し、同年１２月１３日に拒絶査定不服審判の請求がされたものである。
２．本願発明
　本願請求項１に係る発明は、平成２８年７月６日付けの手続補正で補正された本願特許請求の範囲の請求項１に記載された以下のとおりの発明（以下、「本願発明」という。）であると認める。
「【請求項１】
　フィーチャーフォンタイプの携帯電話であって、
　画面を表示するディスプレイと、
　一の物理キーと、を備え、
　前記ディスプレイにロック画面以外の任意の画面を表示している際でも前記画面にノーティフィケーション画面を表示させることができるように、常に前記一の物理キーに前記ノーティフィケーション画面を表示させる機能を割り当てる、
　ことを特徴とする、携帯電話。」
３．引用例、引用発明等
（１）引用発明
　平成２８年９月５日付けの拒絶査定（以下、「原査定」という。）の拒絶の理由に引用された特開２００８−２７８０６５号公報（以下、「引用例１」という。）には、「携帯端末装置」（発明の名称）に関して、図面とともに以下の事項が記載されている。
ア．「
【００２７】
　ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。
・・・（略）・・・
【００３３】
　また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
・・・（略）・・・
【００３６】
  なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。」（６〜７頁）
イ．「【００５０】
　クリアキー１４ｃは、前回キー操作した内容を消す或いは無効にするキーである。ファンクションキー１３は、ある特定のモードに直接遷移したり、或いは操作内容に応じて機能を持たせることが可能なキーである（ユーザ操作により、所定のアプリケーションプログラムを割り当てることも可能）。それに対して、発信キー１４ａや終話キー４ｂは編集やアプリケーション機能を終了、或いは着信等により中断する以外には殆ど使用しない。尚、本実施形態では、アプリケーションプログラムが割り当てられていて、操作（ワンプッシュ）することにより、直ちに所定のアプリケーションが立ち上がる（起動される）専用キー３２５が設けられている。
【００５１】
　一方、携帯電話機の表示部３０には、一般的には、電池（バッテリ）残量を表示するバッテリピクト３２０、電波状態を示す電波ピクト３２１、日付ピクト３２２、時刻ピクト３２３、及び未読メール有りを示すメールピクト３２４等の固定表示が有り、ユーザがキー操作等により意図的に消さない限り、ＣＰＵ２０２の制御によって表示部３０に固定的に、常時表示されている。しかし、これらの固定表示（ピクト）は、例えば電池残量に関しては残量が多い場合には特に常時表示しておく必要は無いし、日付や時間も必ず常時表示をしておく必要は無い。また、電波状態にしても電話としての機能を使用しているとき以外には常時表示をしておく必要は無い。」（９〜１０頁）
　摘記事項ア．〜イ．の記載及び図面（特に、図６参照。）ならびにこの分野における技術常識を考慮すると、
　摘記事項ア．の【００３６】と図１、２より「折り畳み可能な携帯電話機」といえる。そして、摘記事項ア．の【００２７】の「ディスプレイ３０」と摘記事項イ．の【００５０】の「
直ちに所定のアプリケーションが立ち上がる（起動される）専用キー３２５
　摘記事項イ．の【００５０】の「尚、本実施形態では、アプリケーションプログラムが割り当てられていて、操作（ワンプッシュ）することにより、直ちに所定のアプリケーションが立ち上がる（起動される）専用キー３２５が設けられている。」の記載より、「前記専用キーにより、直ちに所定のアプリケーションが立ち上がる」ことが記載されていると認められる。
　
　以上より、引用例１には、以下の発明（以下、「引用発明」という。）が記載されていると認める。
（引用発明）
「折り畳み可能な携帯電話機であって、
　ディスプレイと、
　専用キーと、を備え、
　前記専用キーにより、直ちに所定のアプリケーションが立ち上がる、携帯電話機。」
（２）引用発明２
　原査定に引用された「「SoftBank 007SH 取扱説明書」，[online]， 2012年４月，ソフトバンクモバイル株式会社，第２版，pp.6−22，インターネット URL: http://cdn.softbank.jp/mobile/set/data/support/product/007sh/download/pdf/007sh_userguide.pdf」（以下、「引用例２」という。）には、図面とともに以下の事項が記載されている。
ウ．「キーの使い方
　本機は、従来の携帯電話に近いテンキーを搭載しており、メールなどの文字入力がスムーズに行えます。また、電話やメール、ブラウザなどのアプリケーション／機能専用のキー、項目選択に便利なマルチガイドキーを採用しており、より軽快な操作が行えます。
　おもなキーのはたらき（
待受画面
待受画面では、それぞれのキーは次の働きをします。
■１　ホーム画面を表示
■２　メールを起動
■３　着信履歴を表示
■４　メニュー画面を表示
■５　通話画面を表示
■６　検索ウィンドウを表示
■７　ホーム画面を表示
■８　電話帳画面を表示
■９　インターネットに接続
■１０　
通知パネルを表示
■１１　起動中のアプリケーション一欄を表示
■１２　電源ＯＮ（長押し）　携帯電話オプションを表示（長押し）
■１３　カメラを起動、マナーモード設置（長押し）」（１８頁左欄）
（当審注：■の中に白抜きで数字（例えば、１〜１３。）が記載されたものを、「■１」、・・・、「■１３」のように表現した。）
　以上の記載より、引用例２には、以下の発明（以下、「引用発明２」という。）が記載されていると認める。
（引用発明２）
「携帯電話機の１つのキーに、通知パネルを表示する機能を割り当てること。」
（３）周知の技術
エ．原査定で引用した特開２０１４−１３７７５３号公報には、「携帯情報端末」に関して、図面とともに以下の事項が記載されている。
（ア）「【００１９】
＜スリープ状態Ｓ１，ロック状態Ｓ２及び非ロック状態Ｓ３＞
  図２は、図１の携帯電話機１の動作状態の変化の一例を示した状態遷移図である。この携帯電話機１は、その動作状態がスリープ状態Ｓ１、ロック状態Ｓ２又は非ロック状態Ｓ３のいずれかに遷移可能である。スリープ状態Ｓ１は、タッチパネル１１のバックライトを消灯して表示を行わない端末状態であり、上記動作状態の中では最も消費電力が少ない。例えば、スリープ状態Ｓ１では、タッチパネル１１への電源供給が遮断される一方、通信回路などの一部のデバイスには電源供給が行われる。
【００２０】
  スリープ状態Ｓ１において、所定のスリープ解除操作を行えば、動作状態をロック状態Ｓ２に移行させることができる。例えば、いずれかの操作キー１４ａ〜１４ｃに対し押下操作を行うことにより、携帯電話機１の動作状態はロック状態Ｓ２に遷移する。
ロック状態Ｓ２は、ロック画面ＲＳを表示装置１１ｂに表示し、ロック解除操作以外のユーザ操作を受け付けない端末状態である。ロック画面ＲＳには、ロック解除のためのロック解除操作子が表示される。
オ．原査定で引用した特開２０１４−４１４９８号公報には、「通信端末装置」に関して、図面とともに以下の事項が記載されている。
（イ）「【００３８】
  次に、図２〜図６を参照して、本実施形態のタブレット型コンピュータ１０のロック解除時の動作について詳細に説明する。なお、図２は、本実施形態のタブレット型コンピュータのロック解除時の動作の一例を示すフローチャートであり、図３は、本実施形態のタブレット型コンピュータの表示部に表示されるロック画面を示す図であり、図４は、右手操作モードに設定された際の、手書き文字入力画面を示す図であり、図５は、図３のロック画面を左手で解除する操作を行っている状態を示す図であり、図６は、左手操作モードに設定された際の、手書き文字入力画面を示す図である。
・・（略）・・
【００４１】
  ロック画面３００には、さらに、画面下部に複数のソフトウェアボタン３２０が表示される。ソフトウェアボタン３２０は、左側から順に「ＨＯＭＥ」ボタン３２１、「ＭＥＮＵ」ボタン３２２、「ＢＡＣＫ」ボタン３２３、「ＶＯＬ+」ボタン３２４、「ＶＯＬ−」ボタン３２５を備えて構成される。なお、これらのソフトウェアボタン３２０は、ロック画面３００表示時には、仮にユーザが操作を行った場合であっても操作を受け付けないようになっている。また、これらソフトウェアボタン３２０は、ロック画面３００の表示時には表示しないようにすることによって
ロック解除以外の操作を受け付けないようにしてもよい。
　以上より、「携帯電話機にロック機能を付加し、ロック画面を表示している際は、ロック解除操作キー以外のキーに対する入力を無効とすること。」は周知の技術（以下、「周知の技術」という。）と認める。
４，対比・判断
（１）本願発明と引用発明との対比
　本願発明と引用発明とを対比する。
　本願発明の「フィーチャーフォンタイプの携帯電話」について、明細書段落【００１１】の「フィーチャーフォンタイプの携帯電話の一例として、いわゆる折りたたみ式（フリップ型又はクラムシェル型）のフィーチャーフォンを想定して説明する。」と記載されているから、引用発明の「折り畳み可能な携帯電話」は、本願発明の「フィーチャーフォンタイプの携帯電話」に含まれる。
　引用発明の「ディスプレイ」は、本願発明の「画面を表示するディスプレイ」に相当する。
　引用発明の「専用キー」について、引用文献１の【００４９】、【００５０】と図６より、「入力操作部１１」に配置される物理キーであることは明らかである。よって、引用発明の「専用キー」は、本願発明の「一の物理キー」に含まれる。
　そして、引用発明の「前記専用キーにより、直ちに所定のアプリケーションが立ち上がる」について、引用文献（【００３３】）には、「起動されるアプリケーションの種類に応じて所定の機能が割り当てられる」と記載されていることから、「前記専用キーに特定の機能を割り当てる」と言い換えることができる。してみると、本願発明の「常に前記一の物理キーに前記ノーティフィケーション画面を表示させる機能を割り当てる」とは、「常に前記一の物理キーに所定の機能を割り当てる」で共通する。
　したがって、本願発明と、引用発明とは、以下の点で一致し、相違する。
（一致点）
「フィーチャーフォンタイプの携帯電話であって、
　画面を表示するディスプレイと、
　一の物理キーと、を備え、
　常に前記一の物理キーに所定の機能を割り当てる、携帯電話。」
（相違点１）
　一致点の「所定の機能」が、本願発明では「ノーティフィケーション画面を表示させる機能」であるのに対して、引用発明では、「所定のアプリケーション」により実現される機能について特定されていない点。それに伴い、本願発明では、「任意の画面を表示している際でも前記画面にノーティフィケーション画面を表示させることができるように」されているのに対し、引用発明には、そのような特定がない点。
（相違点２）
　本願発明では、「前記ディスプレイにロック画面以外の任意の画面を表示している際」と限定していること、即ち「ロック画面」を表示している際は「前記前記一の物理キー」に対する入力を無効としているのに対し、引用発明は、そのような特定がない点。
（２）相違点についての検討
　（相違点１）について検討する。
　本願発明の「ノーティフィケーション画面」について、明細書【００２５】に「ノーティフィケーションは、上述したように、例えば通話の不在着信及びメールの受信などをユーザに知らせるための、１又は複数の各種情報の通知とすることができる。また、ノーティフィケーション画面とは、上述したノーティフィケーション及び設定アイコンなどを表示可能な画面を意味とすることかできる。ノーティフィケーション画面は、典型的には１又は複数のノーティフィケーションを表示するための画面である。」と記載されている。他方、引用発明２の「通知パネル」が、出願時の技術常識に照らして不在着信等の各種通知を行うための表示画面であることは自明の事項であるから、引用発明２の「通知パネル」は、本願発明の「ノ−ティフィケーション画面」に相当する。そして、引用発明の「専用キー」の機能の割り当てに、引用発明２を適用して、「専用キー」を、「通知パネルを表示させる」機能、即ち、「ノーティフィケーション画面を表示させる」機能を割り当てることは、当業者が容易に想到し得たことである。その場合、任意の画面を表示している際でも、ノーティフィケーション画面を表示させることができるようにすることは、当業者が適宜なし得る事項にすぎない。
　（相違点２）について検討する。
　上記「３．引用例、引用発明等」の「（３）周知の技術」の項に記載したように、「携帯電話機にロック機能を付加し、ロック画面を表示している際は、ロック解除操作キー以外のキーに対する入力を無効とすること。」は、周知の技術である。
　引用発明に基づいて周知の技術を参酌することにより、ロック画面を表示している際は「専用キー」に対する入力を無効にすることは、当業者が容易に想到し得たことである。
　したがって、本願発明は、引用発明および引用発明２に基づいて周知の技術を参酌することにより当業者が容易に発明することができたものである。
　そして、本願発明の作用効果も、引用発明および引用発明２に基づいて周知の技術を参酌することにより当業者が容易に予測できる範囲のものである。 
５．むすび
　本願発明は、引用発明および引用発明２に基づいて周知の技術を参酌することにより当業者が容易に発明することができたものである。
　よって、結論のとおり審決する。